(57)【要約】【課題】作業者の負担を大幅に削減しながら芝生に生えている雑草を、根と共に確実に抜き取ることができる雑草の抜き取り装置を提供する。【解決手段】杆部２の一端にハンドル部を設け、杆部の他端に抜き取り本体６を設け、ハンドル部を握りながら杆部を鉛直下方に向け、抜き取り本体を回転させながら芝生Ｓに差し込む動作、引き戻す動作を行うことで、芝生に生えている雑草Ｗを抜き取る装置である。抜き取り本体６は、両端が開口した中空部材であり、下端の開口周縁に刃８を形成しており、下端側の内周を、ストレートの内径として根Ｎを周囲の土Ｅとともに保持する根保持部１０とし、根保持部から上端の開口までの内周を、上端の開口に向かうにしたがって漸次拡径して上端の開口から雑草を排出することが可能な排出部１２としている。【選択図】        図５
2004357637.tif 000002
【特許請求の範囲】
【請求項１】
杆部の一端にハンドル部を設け、該杆部の他端に抜き取り本体を設け、前記ハンドル部を握りながら前記杆部を鉛直下方に向け、前記抜き取り本体を回転させながら芝生に差し込む動作、引き戻す動作を行うことで、芝生に生えている雑草を抜き取る雑草の抜き取り装置であって、
前記抜き取り本体は、両端が開口した中空部材であり、一端の開口周縁に刃を形成しており、該一端側の内周を、ストレートの内径として前記根を周囲の土とともに保持する根保持部とし、前記根保持部から他端の開口までの内周を、該他端の開口に向かうにしたがって漸次拡径して前記他端の開口から前記雑草を排出することが可能な排出部としていることを特徴とする雑草の抜き取り装置。
【請求項２】
他の抜き取り本体を、前記杆部の他端に着脱自在に連結可能としたことを特徴とする請求項１記載の雑草の抜き取り装置。
【請求項３】
前記杆部の長さを、立った状態の人が前記抜き取り本体を雑草に近づけることが可能となるような長さに設定したことを特徴とする請求項１又は２記載の雑草の抜き取り装置。
【請求項４】
立った状態の人、或いは車椅子等に座っている人が雑草の抜き取り作業可能となるように、前記杆部の長さを調節可能な構造としたことを特徴とする請求項１又は２記載の雑草の抜き取り装置。
【請求項５】
前記杆部の他端を、前記抜き取り本体の他端側の外周に連結し、前記抜き取り本体の他端の開口部に、抜き取った前記雑草を収納する雑草収納部を接続したことを特徴とする請求項１乃至４の何れかに記載の雑草の抜き取り装置。
【請求項６】
前記抜き取り本体の外周に連結した前記杆部の他端の端面を、前記抜き取り本体が地表深く差し込まれるのを防止する深差しストッパーとしたことを特徴とする請求項５記載の雑草の抜き取り装置。
【請求項７】
前記杆部を、他端が開口した中空部材とし、該他端及び前記抜き取り本体の排出部を接続することで、前記杆部の中空内部を、前記排出部から排出されてきた前記雑草を収納する雑草収納部とすることを特徴とする請求項１乃至４の何れかに記載の雑草の抜き取り装置。
【発明の詳細な説明】
【０００１】
【発明の属する技術分野】
本発明は、雑草の抜き取り装置であって、特に、芝生に生えている雑草を根と共に抜き取るのに好適な装置に関する。
【０００２】
【従来の技術】
芝生に生えている雑草を取り除く装置として、人力を必要とする装置や、機械的に作業を行う装置がある。
人力を必要とする装置は、例えば柄の先端にフォーク状の爪や熊手のような器具を備えた根起こし機があるが、かがんだ状態で作業をすることになるので、作業者の負担が大きくなるとともに、作業能率も低下しやすい。そこで、作業の軽減化を図るためには、例えば、特許文献１、特許文献２のように機械的に作業を行う装置が必要である。
【０００３】
特許文献１の装置は、ハンドル部を把持して除草しようとする箇所に持ち運び、下降しているリンクの爪先間に開かれた状態で下向きに保持されている草把持爪を雑草の上から差し込み、リンクを上昇させることで爪先間を閉じた草把持爪が除去しようとする雑草を掴み、ハンドル部を左右に捩じって雑草の根切りを行ったうえハンドル部を引き上げることで、雑草を引き抜くようにしている。
【０００４】
また、特許文献２の装置は、位置決めバーとその周囲に配置した複数の爪刃とからなる回転刃体と、表面に螺旋溝が形成されて螺合部材との軸方向変位に伴って回転する回転軸体と、この回転軸体の端部を付勢して軸方向変位を可能にするコイルスプリングと、回転軸体を収容する筒胴部と、この筒胴部に取り付けたハンドル部とを備えている。そして、回転刃体を雑草の根に臨ませた状態とし、ハンドル部を押し下げると、コイルスプリングが収縮し、回転軸体が軸方向に変位する際に回転することで回転刃体が回転し、雑草の根を局部的に掘り起こすことができる。
【０００５】
【特許文献１】
実開平０５−３１５８７号公報
【特許文献１】
実用新案登録第３０５００２７号公報
【０００６】
【発明が解決しようとする課題】
上記の特許文献１、特許文献２は、立ったままの状態で操作することができるので、人力を必要とする装置と比較して作業能率が向上する。
しかし、特許文献１の装置は、雑草を掴んだ草把持爪を回転させ、或いは上昇させて雑草を引き抜くようにしているので、雑草の葉や茎等のみが引き抜かれ、根が芝生に残りやすくなり、雑草の再生率が高い芝生となるおそれがある。
【０００７】
また、特許文献２の装置は、回転刃体が回転することで雑草の根を局部的に掘り起こすようにしているので、雑草の周囲の芝生の根を傷めるおそれがある。また、この装置は、根が深い雑草の場合には、根を堀り起こすだけとなって根の引き抜き作業は人力作業となるので、作業者の負担を低減することができない。
そこで、本発明は上記事情に鑑みてなされたもので、作業者の負担を大幅に削減しながら芝生に生えている雑草を根と共に確実に抜き取ることができるとともに、芝生の抜き取り作業及び抜きとった後の作業能率を大幅に向上させることができる雑草の抜き取り装置を提供することを目的としている。
【０００８】
【課題を解決するための手段】
請求項１記載の発明は、杆部の一端にハンドル部を設け、該杆部の他端に抜き取り本体を設け、前記ハンドル部を握りながら前記杆部を鉛直下方に向け、前記抜き取り本体を回転させながら芝生に差し込む動作、引き戻す動作を行うことで、芝生に生えている雑草を抜き取る雑草の抜き取り装置であって、前記抜き取り本体は、両端が開口した中空部材であり、一端の開口周縁に刃を形成しており、該一端側の内周を、ストレートの内径として前記根を周囲の土とともに保持する根保持部とし、前記根保持部から他端の開口までの内周を、該他端の開口に向かうにしたがって漸次拡径して前記他端の開口から前記雑草を排出することが可能な排出部としていることを特徴とする装置である。
【０００９】
本発明の抜き取り装置によると、作業者は、抜き取り本体を回転させながら芝生に差し込む動作、引き戻す動作を行うだけで雑草の抜き取り動作を行うことができるので、作業者の負担が低減し、雑草の抜き取り作業の能率が向上する。
また、雑草の根を囲むように抜き取り本体を土中に差し込むと、根保持部が周囲の土とともに根の上部を保持し、抜き取り本体が上方移動することで根を土中から引き抜いていくので、根の引き抜き作業を人的に行う必要がなく、作業者の負担が大幅に低減する。
【００１０】
そして、雑草の根が芝生にほとんど残らず、雑草の再生率が低い芝生となる。
さらに、抜き取り本体を、雑草の葉を囲むように位置に土中に差し込んでいるので、雑草の周囲の芝生の根を傷めるおそれがない。
また、請求項２記載の発明は、請求項１記載の雑草の抜き取り装置において、他の抜き取り本体を、前記杆部の他端に着脱自在に連結可能としている。
【００１１】
このようにすると、抜き取る雑草の大きさや芝の状態に合わせて作業のし易い抜き取り本体を簡単に選択することができる。また、同形状の抜き取り本体を複数用意しておくことで、刃が欠けた抜き取り本体を交換し、新たな抜き取り本体を直ぐに装着することが可能となる。
また、請求項３記載の発明は、請求項１又は２記載の雑草の抜き取り装置において、前記杆部の長さを、立った状態の人が前記抜き取り本体を雑草に近づけることが可能となるような長さに設定した。
【００１２】
このようにすると、作業者は、立ったままの状態で抜き取り本体を回転させながら芝生に差し込む動作、引き戻す動作を行うだけで雑草の抜き取り動作を行うことができるので、さらに作業者の負担が低減する。
また、請求項４記載の発明は、請求項１又は２記載の雑草の抜き取り装置において、立った状態の人、或いは車椅子等に座っている人が雑草の抜き取り作業可能となるように、前記杆部の長さを調節可能な構造とした。
【００１３】
このようにすると、背の低い子供や、車椅子に座った人であっても、容易に雑草の抜き取り作業を行うことが可能となる。
また、請求項５記載の発明は、請求項１乃至４の何れかに記載の雑草の抜き取り装置において、前記杆部の他端を、前記抜き取り本体の他端側の外周に連結し、前記抜き取り本体の他端の開口部に、抜き取った前記雑草を収納する雑草収納部を接続した。
【００１４】
このようにすると、抜き取り本体に抜き取られて排出部から出た雑草は、順次、雑草収納部に収納されていくので、芝生上には雑草が残らず、雑草の清掃作業の簡略化が図られる。
また、請求項６記載の発明は、請求項５記載の雑草の抜き取り装置において、前記抜き取り本体の外周に連結した前記杆部の他端の端面を、前記抜き取り本体が地表深く差し込まれるのを防止する深差しストッパーとした。
【００１５】
このようにすると、深差ストッパーによって抜き取り本体が深く土中に入り込むのが防止されるので、抜き取り本体の差し込み、引き戻し動作が容易となる。
さらに、請求項７記載の発明は、請求項１乃至４の何れかに記載の雑草の抜き取り装置において、前記杆部を他端が開口した中空部材とし、該他端及び前記抜き取り本体の排出部を接続することで、前記杆部の中空内部を、前記排出部から排出されてきた前記雑草を収納する雑草収納部としている。
このようにすると、請求項５記載の発明と同様に、抜き取り本体に抜き取られて排出部から出た雑草は、順次、雑草収納部に収納されていくので、芝生上には雑草が残らず、雑草の清掃作業の簡略化が図られる。
【００１６】
【発明の実施の形態】
以下、本発明に係る雑草の抜き取り装置の複数の実施形態について、図面を参照して説明する。
「第１実施形態」
図１は、第１実施形態の雑草の抜き取り装置（以下、抜き取り装置と略称する）を立てた状態で示したものである。
本実施形態の抜き取り装置は、棒状部材の杆部２と、杆部２の上端に直交して固定したハンドル部４と、杆部２の下端に固定した抜き取り本体６とで構成されている。杆部の下端からハンドル部４までの長さｈは、成人の作業員が立った時の腹や腰までの高さ（８００〜９００ｍｍ）に設定されている。
【００１７】
抜き取り本体６は、図２に示すように、両端が開口したステンレス製の中空円筒部材であり、下端の開口周縁に円錐形状の刃８を形成している。また、この抜き取り本体６の内部は、刃８を形成した一端側の内周部をストレートの内径（軸方向の内径が変化しない形状）とし、ストレートの内径から上端の開口までの内周部を、上端の開口に向かうにしたがい漸次拡径したテーパ形状としている。ここで、ストレートの内径とした下端側の内周部を、根保持部１０と称し、根保持部１０から上端の開口までのテーパ形状の内周部を排出部１２と称する。
【００１８】
なお、外径が２１．７ｍｍ、内径が１４．３ｍｍ、長さが５０ｍｍの中空円筒部材により抜き取り本体６を形成した場合には、抜き取り本体６の外周に対する刃８の角度αを、α＝１５°とし、前記排出部１２のテーパ角度βを、β＝２°としている。
そして、上記構成の抜き取り本体６の外周に、刃８の先端から所定の距離Ｌだけ離れた箇所に端面２ａが位置するように杆部２が固定されている。
【００１９】
次に、本実施形態の抜き取り装置を使用した芝生Ｓに生えている雑草Ｗ，Ｗ１…を根Ｎ，Ｎ１と共に抜き取る作業手順について、図３から図６を参照しながら説明する。
先ず、図３に示すように、ハンドル部４を握った作業者は、立ったままの状態で杆部２を鉛直下方に向け、雑草Ｗの葉を囲むように抜き取り本体６を配置する。
【００２０】
次に、杆部２を回転させながら下降させていく。これにより、図４に示すように、回転した抜き取り本体６は、先端の刃８から土中に差し込まれていき、土中で張っている根Ｎを取り囲む。ここで、抜き取り本体６が所定の深さだけ土中に入り込むと、抜き取り本体６の外周に位置する杆部２の端面２ａが芝生Ｓに当接し、抜き取り本体６が深く土中に差し込まれるのを防止しているので、前記端面２ａは、深差しストッパーとして機能している。
【００２１】
次に、ハンドル部４を握りながら杆部２を上方に移動し、抜き取り本体６の引き戻し動作を行う。この動作を行うと、図５に示すように、根Ｎの上部は、周囲の土Ｅとともに根保持部１０に保持され、抜き取り本体６の上方移動とともに根Ｎの全体が土中から引き抜かれていく。
次に、抜き取り本体６内に、根Ｎ付きの雑草Ｗを収納したまま、芝生Ｓの他の位置に生えている別の雑草Ｗ１の葉を囲むように抜き取り本体６を配置する。そして、杆部２を回転させながら下降させていくと、図６に示すように、抜き取り本体６が、土中で張っている根Ｎ１を取り囲む。この際、抜き取り本体６内に収納されている根Ｎ付きの雑草Ｗは、別の雑草Ｗ１の葉に上方に押され、排出部１２を通過して上方の開口部から外部に排出されていく。
【００２２】
この動作を繰り返すことで、芝生Ｓに生えている雑草Ｗ，Ｗ１…を、順次、根Ｎ，Ｎ１…と共に抜き取っていく。
したがって、本実施形態の抜き取り装置によると、作業者は、立ったままの状態で抜き取り本体を回転させながら芝生Ｓに差し込む動作、引き戻す動作を行うだけで雑草Ｗの抜き取り動作を行うことができるので、作業者の負担が低減し、雑草の抜き取り作業の能率を向上させることができる。
【００２３】
また、雑草Ｗの根Ｎを囲むように土中に差し込んだ抜き取り本体６は、根保持部１０が周囲の土とともに根Ｎの上部を保持し、抜き取り本体６が上方移動することで根Ｎを土中から引き抜いていくので、従来の装置（特許文献２）のように根の引き抜き作業を人的に行う必要がなく、作業者の負担を大幅に低減することができる。
また、雑草Ｗの根Ｎが芝生Ｓにほとんど残らず、雑草Ｗの再生率が低い芝生Ｓとすることができる。
また、位置抜き取り本体６を、雑草Ｗの葉を囲む位置に配置し、回転させながら下降させて土中に差し込んでいるので、雑草Ｗの周囲の芝生Ｓの根を傷めるおそれがない。
【００２４】
さらに、抜き取り本体６を土中に差し込むと、杆部２の端面２ａが深差ストッパーとして機能して抜き取り本体６が深く土中に入り込むのを防止しているので、抜き取り本体６の差し込み、引き戻し動作を容易に行うことができる。
「第２実施形態及び第３実施形態」
次に、図７及び図８に示すものは、第２及び第３実施形態の抜き取り装置を示すものである。なお、図１に示した第１実施形態の構成と同一構成部分には、同一符号を付してその説明を省略する。
【００２５】
図７で示す第２実施形態は、テレスコープ式の杆部２０を備えている。杆部２０は、抜き取り本体６が固定している最も径の細い第１杆２２ａと、この第１杆２２ａが内部に入り込むことが可能な第２杆２２ｂと、この第２杆２２ｂが内部に入り込むことが可能な第３杆２２ｃと、ハンドル部４が固定しており、第３杆２２ｃが内部に入り込むことが可能な第４杆２２ｄと、これら第１杆２２ａ〜第４杆２２ｄのいずれかの伸長状態、或いは、収縮状態をワンタッチで切り換えることが可能な伸縮切替え部２４ａ〜２４ｃを備えている。図７（ａ）に示すように、全ての杆２２ａ〜２２ｄが伸長したときの杆部２０の高さは、成人の作業員が立った時の腹や腰までの高さに設定されている。
【００２６】
また、伸縮切替え部２４ａ〜２４ｃの具体的な構成としては、例えば、杆に設けた穴に、バネ力で外側に押圧されている係合凸部を配置した構造としている。そして、杆部２０の高さを低く設定するときには、図７（ｂ）に示すように、例えば伸縮切替え部２４ａの係合凸部をばね力に抗して穴内に押し込む動作を行う。
【００２７】
また、図８で示す第３実施形態は、継ぎ足し式の杆部３０を備えている。杆部３０は、抜き取り本体６が固定している第１杆３２ａと、第２杆３２ｂ及び第３杆３２ｃと、ハンドル部４が固定している第３杆３２ｄとを備えている。そして、第２杆３２ｂ、第３杆３２ｃ、第４杆３２ｄの下端には、同一形状の雄ねじ部３４ａ、３４ｂ、３４ｃが形成されており、第１杆３２ａ、第２杆３２ｂ、第３杆３２ｃの上端にも、同一形状の雌ねじ部（図示せず）が形成されている。そして、全ての雄ねじ部３４ａ、３４ｂ、３４ｃを第１杆３２ａ、第２杆３２ｂ、第３杆３２ｃの雌ねじ部にねじ込み、全ての杆３２ａ〜３２ｄを連結したときの杆部３０の高さは、成人の作業員が立った時の腹や腰までの高さに設定されている。そして、杆部３０の高さを低く設定するときには、第２杆３２ｂ、第３杆３２ｃの一方、或いは両者を使用せずに他の杆同士を連結する。
【００２８】
したがって、第２、第３実施形態によると、第１実施形態と同様の作用効果を得ることができるとともに、杆部２０、３０の高さを自由に調整することができるので、背の低い子供や、車椅子に座った人であっても、本実施形態の装置を使用して容易に雑草の抜き取り作業を行うことができる。
「第４実施形態」
次に、図９に示すものは、第４実施形態の抜き取り装置の要部を示すものである。
【００２９】
本実施形態では、複数種類の抜き取り本体６、４２、４４を杆部４６に着脱自在に連結可能としている。
すなわち、図９（ａ）では、抜き取り本体６の外周に、杆部４６を構成する下端部４６ａが固定されており、この下端部４６ａの上端には雌ねじ部４６ｂが形成されている。そして、杆部４６の下端には雄ねじ部４６ｃが形成されており、この雄ねじ部４６ｃを前記雌ねじ部４６ｂに螺合することで、杆部４６の下端に抜き取り本体６が固定される。
【００３０】
また、図９（ｂ）の抜き取り本体４２は、図９（ａ）で示した抜き取り本体６より径が大きい部材であり、図９（ｃ）の抜き取り本体４４は、爪型の刃４４ａを形成した部材である。これら抜き取り本体４２，４４の外周には、図９（ａ）で示した抜き取り本体８と同様に、雌ねじ４６ｂを設けた下端部４６ａが固定されている。
【００３１】
このように、複数種類の抜き取り本体６，４２，４４を、杆部４６に着脱自在に連結可能としたことで、抜き取る雑草Ｗの大きさや芝生Ｓの状態に合わせて作業のし易い抜き取り本体を簡単に選択することができる。また、同形状の抜き取り本体６を複数用意しておくことで、刃８が欠けた抜き取り本体６を交換し、新たな抜き取り本体６を直ぐに装着することができる。
【００３２】
なお、抜き取り本体の刃の形状は、図９（ａ）で示す円錐刃や、図９（ｃ）で示す爪型の刃の他に、櫛刃、平刃等が考えられ、雑草Ｗの大きさ、形状に応じて種々の形状の刃を用意しておくことが好ましい。
「第５実施形態」
次に、図１０に示すものは、第５実施形態の抜き取り装置を示すものである。
【００３３】
本実施形態では、抜きとった雑草Ｗを収納する収納袋５０を備えている。この収納袋５０は、抜き取り本体６の他端の開口に接続しているとともに、固定具５２を使用して杆部２の所定の位置に一体に設けられている。
このような構造とすることで、抜き取り本体６に抜き取られて排出部１２から出た雑草Ｗは、順次、収納袋５０内に収納されていくので、芝生Ｓ上には雑草Ｗが残らず、雑草Ｗの清掃作業の簡略化を図ることができる。
「第６実施形態」
さらに、図１１に示すものは、第６実施形態の抜き取り装置を示すものである。
【００３４】
本実施形態の杆部５４は、下端が開口した中空部材であり、ハンドル部４の近くに、楕円形状に開口した雑草排出部５４ａを設けている。そして、この杆部５４の下端が、抜き取り本体６の上端の開口部に接続していることで、杆部５４及び抜き取り本体６が同軸に一体化されている。
このような構造とすることで、抜き取り本体６に抜き取られて排出部１２から出た雑草Ｗは、順次、杆部５４内に収納されていく。そして、杆部５４内に所定の量だけ雑草Ｗがストックされると、雑草置き場等にて雑草排出部５４ａから雑草Ｗを排出することで、杆部５４内を空にすることができる。したがって、本実施形態も、第５実施形態と同様に、芝生Ｓ上には雑草Ｗが残らず、雑草Ｗの清掃作業の簡略化を図ることができる。
【００３５】
【発明の効果】
請求項１記載の発明によると、作業者は、抜き取り本体を回転させながら芝生に差し込む動作、引き戻す動作を行うだけで雑草の抜き取り動作を行うことができるので、作業者の負担が低減し、雑草の抜き取り作業の能率を向上させることができる。
また、雑草の根を囲むように抜き取り本体を土中に差し込むと、根保持部が周囲の土とともに根の上部を保持し、抜き取り本体が上方移動することで根を土中から引き抜いていくので、根の引き抜き作業を人的に行う必要がなく、作業者の負担を大幅に低減することができる。
しかも、雑草の根が芝生にほとんど残らず、雑草の再生率が低い芝生とすることができる。
【００３６】
また、抜き取り本体を、雑草の葉を囲むように位置に土中に差し込んでいるので、雑草の周囲の芝生の根を傷めるおそれがない。
また、請求項２記載の発明によると、抜き取る雑草の大きさや芝の状態に合わせて作業のし易い抜き取り本体を簡単に選択することができる。また、同形状の抜き取り本体を複数用意しておくことで、刃が欠けた抜き取り本体を交換し、新たな抜き取り本体を直ぐに装着することができる。
【００３７】
また、請求項３記載の発明によると、作業者は、立ったままの状態で抜き取り本体を回転させながら芝生に差し込む動作、引き戻す動作を行うだけで雑草の抜き取り動作を行うことができるので、さらに作業者の負担を低減させることができる。
また、請求項４記載の発明によると、背の低い子供や、車椅子に座った人でも、容易に雑草の抜き取り作業を行うことができる。
【００３８】
また、請求項５記載の発明によると、抜き取り本体に抜き取られて排出部から出た雑草は、順次、雑草収納部に収納されていくので、芝生上には雑草が残らず、雑草の清掃作業の簡略化を図ることができる。
また、請求項６記載の発明によると、深差ストッパーによって抜き取り本体が深く土中に入り込むのが防止されるので、抜き取り本体の差し込み、引き戻し動作を容易に行うことができる。
さらに、請求項７記載の発明によると、請求項５記載の発明と同様に、抜き取り本体に抜き取られて排出部から出た雑草は、順次、雑草収納部に収納されていくので、芝生上には雑草が残らず、雑草の清掃作業の簡略化を図ることができる。
【図面の簡単な説明】
【図１】本発明に係る第１実施形態の雑草の抜き取り装置を示す図である。
【図２】図１におけるＩＩ−ＩＩ線矢視図である。
【図３】第１実施形態の雑草の抜き取り装置の抜き取り本体を雑草の葉を囲むように配置した状態を示す図である。
【図４】第１実施形態において抜き取り本体を回転させながら地中に差し込んだ状態を示す図である。
【図５】第１実施形態における抜き取り本体の根保持部が、根の上部を土と共に保持した状態を示す図である。
【図６】第１実施形態において引き抜かれた雑草が、抜き取り本体の上部開口部から排出されている状態を示す図である。
【図７】本発明に係るテレスコープ式の杆部を備えた第２実施形態の雑草の抜き取り装置を示す図である。
【図８】本発明に係る継ぎ足し式の杆部を備えた第３実施形態の雑草の抜き取り装置を示す図である。
【図９】本発明に係る杆部に着脱自在の抜き取り本体を備えた第４実施形態の雑草の抜き取り装置を示す図である。
【図１０】本発明に係る抜き取った雑草を収納する雑草収納部を備えた第５実施形態の雑草の抜き取り装置を示す図である。
【図１１】本発明に係る抜き取った雑草を収納する雑草収納部を中空の杆部とした第６実施形態の雑草の抜き取り装置を示す図である。
【符号の説明】
２ａ  杆の端面（深差しストッパー）
２，２０、３０，４６  杆部
４  ハンドル部
６，４２，４４  抜き取り本体
８．、４４ａ  刃
１０  根保持部
１２  排出部
４６ａ  杆部の下端部
４６ｂ  雌ねじ部
４６ｃ  雄ねじ部
５０  収納袋（雑草収納部）
５４  中空形状の杆部（雑草収納部）
５４ａ  雑草排出部
Ｎ，Ｎ１  雑草の根
Ｓ  芝生
Ｗ，Ｗ１  雑草
Ｎ，Ｎ１  雑草の根
【図１】
2004357637.tif 000003
【図２】
2004357637.tif 000004
【図３】
2004357637.tif 000005
【図４】
2004357637.tif 000006
【図５】
2004357637.tif 000007
【図６】
2004357637.tif 000008
【図７】
2004357637.tif 000009
【図８】
2004357637.tif 000010
【図９】
2004357637.tif 000011
【図１０】
2004357637.tif 000012
【図１１】
2004357637.tif 000013